(57)【要約】      （修正有）【課題】皮膚表面に貼り付けた時、目立たない薬用シークレット絆創膏を提供する。【解決手段】粘着表層２１と該粘着表層の底面を被覆する薬剤層２２から構成され、薬剤層は、中央に厚みがあり周囲縁が比較的薄い形態をなし、直径範囲は、粘着表層の直径以下とする。粘着表層の底部の周囲縁には、粘着部を形成し、粘着表層は薄片設計とする。薬剤層は、中央に厚みがあり周囲縁の薄い設計であるため、絆創膏２を皮膚に貼り付けた時、粘着表層の周囲縁の粘着部は、皮膚に対して平たくスムーズに貼り合わされて脱落することがなく、しかも、粘着表層は透明薄片で、薬剤層は皮膚色であるため、皮膚表面に貼り付けた時、目立たない隠密効果を生み出す。また、剥離紙１上の絆創膏に向き合う位置には全て、簡単に切り取れるようにカット線を設け、各カット線の内の一端或いは両端には便利に剥がせるように切り込みを設ける。使用時には、剥離紙のカット線によって剥離紙を割き、絆創膏と剥離紙を分離する。【選択図】図１
0003170203.tif 000002
【実用新案登録請求の範囲】
【請求項１】
剥離紙と、少なくとも一つの絆創膏を含む薬用シークレット絆創膏において、剥離紙上には少なくとも一つの絆創膏を貼り付け、各絆創膏は、粘着表層と粘着表層の底面を被覆する薬剤層によって構成され、その内の薬剤層は、中央に厚みをもたせ周囲縁が比較的薄い形態をなし、
直径範囲は、粘着表層の直径以下とし、粘着表層の底部の周囲縁には、粘着部を形成し、粘着表層は薄片設計とし、剥離紙上の各絆創膏に向き合う位置には全て、簡単に切り取れるようにするカット線を設け、各カット線の両端には、便利に剥がせるようにする切り込みを設け、
薬剤層は、中央に厚みがあり周囲縁が薄い設計であるため、絆創膏を皮膚に貼り付けた時、粘着表層の周囲縁の粘着部は、皮膚に対して平たくスムーズに貼り合わされて脱落することがなく、しかも、使用時には、剥離紙のカット線から剥離紙を割いて、絆創膏と剥離紙を分離することにより、絆創膏を簡単に剥離する目的を果たすことを特徴とする薬用シークレット絆創膏。
【請求項２】
前記粘着表層は透明薄片であり、薬剤層は皮膚色をなし、皮膚表面に貼り付けた時に、皮膚の色と融合して、目立たない隠密効果を果たすことを特徴とする請求項１に記載の薬用シークレット絆創膏。
【請求項３】
前記剥離紙上には、縦横方向に交差するキリトリ線を設け、各キリトリ線の両端には切り離しを便利にするための切り込みを設け、各絆創膏を独立した単位に区分けし、その内の単一の絆創膏を備えた剥離紙または剥離紙の全列を単独で切り離すことを特徴とする請求項１に記載の薬用シークレット絆創膏。
【請求項４】
前記薬剤層は、親水性ハイドロゲルとすることを特徴とする請求項１に記載の薬用シークレット絆創膏。
【考案の詳細な説明】
【技術分野】
【０００１】
本考案は、剥離紙と、剥離紙を被覆する少なくとも一つの絆創膏を含む薬用シークレット絆創膏に関し、使用時には、皮膚に対して平たくスムーズに貼り付けられて脱落することがなく、貼り付け時は、目立たない隠密効果を果たし、剥離紙から簡単に剥離できる薬用シークレット絆創膏に係る。
【背景技術】
【０００２】
公知の薬用シークレット絆創膏は、図１１及び図１２に示すとおりである。それは、剥離紙３と、剥離紙３上に貼り付けられた一つ以上の薬剤絆創膏４とを含み、その内の薬剤絆創膏４は、一定の厚みを備える親水性ハイドロゲル（Hydrogel）を用いて直接作られ、底面に粘着部分を付着し、直接薬剤絆創膏４を皮膚に貼り付けたり剥がして使用する。しかし、公知の薬用シークレット絆創膏は、使用時には次のような欠点を備える。
１．薬剤絆創膏４は、皮膚色に近いが、厚みが厚すぎるため、皮膚に貼り付けた時に、個人の皮膚の色によっては、その色が非常に目立ち、隠すことができない。
２．剥離紙３上には、薬剤絆創膏４を剥がし易くするための設計をしていないため、薬剤絆創膏４を剥がす時に、薬剤絆創膏４を変形させ、平坦性を壊してしまい、貼り付け時の美観に影響を与える。
【考案の概要】
【考案が解決しようとする課題】
【０００３】
本考案の主な目的は、薬剤層の設計を、中央に厚みをもたせ周囲縁を比較的薄くし、粘着表層は、薄片設計とし、薬剤層は厚みがあり周囲縁が薄い形態を形成するため、絆創膏を皮膚に貼り付けた時、粘着表層の周囲縁の粘着部は、皮膚に対して平たくスムーズに貼り合わされて脱落することがない薬用シークレット絆創膏の提供にある。
【０００４】
本考案の次の目的は、主に、粘着表層を透明薄片とし、薬剤層を皮膚色として、皮膚表面に貼り付けた時、特別顕著に目立たない隠密効果を果たす薬用シークレット絆創膏の提供にある。
【０００５】
本考案の更にもう一つの目的は、剥離紙上の絆創膏に向き合う位置には全て、簡単に切り取れるようにカット線を設け、各カット線の内の一端或いは両端には便利に剥がせるように切り込みを設け、使用時には、絆創膏と剥離紙を分離することにより、絆創膏を簡単に剥離する目的を果たす薬用シークレット絆創膏の提供にある。
【課題を解決するための手段】
【０００６】
本考案は、剥離紙と、剥離紙を被覆する少なくとも一つの絆創膏を含む薬用シークレット絆創膏に関し、各絆創膏は、粘着表層と粘着表層の底面を被覆する薬剤層を備える。薬剤層は、中央に厚みがあり周囲縁が比較的薄い形態とし、粘着表層は、薄片設計とする。薬剤層は厚みがあり周囲縁が薄い設計であるため、絆創膏を皮膚に貼り付けた時、粘着表層周囲縁の粘着部は、皮膚に対して平たくスムーズに貼り合わされて脱落することがない。しかも、粘着表層は透明薄片であり、薬剤層は皮膚色であるため、皮膚表面に貼り付けた時、目立たない隠密効果を生み出す。また、剥離紙上の絆創膏に向き合う位置には全て、簡単に切り取れるようにカット線を設け、各カット線の内の一端或いは両端には便利に剥がせるように切り込みを設ける。使用時には、絆創膏と剥離紙を分離することにより、絆創膏を簡単に剥離する効果を果たす薬用シークレット絆創膏の設計である。
【考案の効果】
【０００７】
本考案の薬用シークレット絆創膏は、皮膚に対して平たくスムーズに貼り付けられて脱落することがなく、貼り付け時には、特に目立たない隠密効果を果たし、剥離紙から簡単に剥離する効果を果たす。
【図面の簡単な説明】
【０００８】
【図１】本考案の実施例に関する立体図である。
【図２】本考案の実施例に関し、使用時に、剥離紙のカット線を裂いた際の立体図である。
【図３】本考案の実施例に関し、使用時に、剥離紙のカット線を裂いて、絆創膏をはがした際の立体図である。
【図４】本考案の一部断面図である。
【図５】本考案の実施例に関し、縦横交差するキリトリ線で切り取り、単一の絆創膏を取り出した際の立体図である。
【図６】本考案の実施例に関し、縦横交差するキリトリ線で切り取り、一列の絆創膏を取り出した際の立体図である。
【図７】第六図で示した一列の絆創膏から更に単一の絆創膏を取りだす例の立体図である。
【図８】本考案の実施例に関し、単一の絆創膏から半分の剥離紙を剥離しようとする際の立体図である。
【図９】本考案の実施例に関し、単一の絆創膏から半分の剥離紙を剥離した後の立体図である。
【図１０】本考案の実施例に関し、半分の剥離紙を剥離した単一の絆創膏を残ったもう半分の剥離紙を利用して顔に貼る実施例の立体図である。
【図１１】公知の薬剤絆創膏に関する立体図である。
【図１２】公知の薬剤絆創膏に関する立体図である。
【考案を実施するための形態】
【実施例】
【０００９】
図１、図２、図３及び図４に示すとおり、本考案は、薬用シークレット絆創膏に関する。それは、剥離紙１と、剥離紙１を被覆する少なくとも一つの絆創膏２を含み、各絆創膏２は、粘着表層２１と粘着表層２１の底面を被覆する薬剤層２２を備える。薬剤層２２は、中央に厚みがあり周囲縁が比較的薄い形態とし、直径範囲は粘着表層２１の直径以下とし、粘着表層２１の底部の周囲縁には粘着部２３を形成し、粘着表層２１は薄片設計とする。薬剤層２２は、中央に厚みがあり周囲縁が薄い設計であるため、絆創膏２を皮膚に貼り付けた時、粘着表層２１周囲縁の粘着部２３は、皮膚に対して平たくスムーズに貼り合わされて脱落しない。粘着表層２１は、透明薄片とし、薬剤層２２は皮膚色であるため、皮膚表面に貼り付けた時、皮膚の色とマッチして、目立たない隠密効果を生み出す。また、剥離紙１上の絆創膏２に向き合う位置には全て、簡単に切り取れるカット線１１を設け、各カット線１１の内の一端或いは両端には便利にはがせるように切り込み１１１を設ける。使用時には、剥離紙１のカット線１１から剥離紙１を割いて、絆創膏２と剥離紙１を分離することにより、絆創膏２を簡単に取り出す効果を果たす。しかも、剥離紙１上には横、縦方向に交差したキリトリ線１２を設け、各絆創膏２を独立した単位に区分けし、その内の一つの絆創膏２を備えた剥離紙１または剥離紙１全列を単独で切り離すことが可能である。また、各キリトリ線１２の内の一端或いは両端には切り離しを便利にするための切り込み１２１を設け、絆創膏２を簡単に剥離する目的を果たす（図５、図６及び図７参照）。単一の絆創膏２を剥離する時、カット線１１にそってその半分を剥離紙１から剥離し、粘着表層２１周辺部の粘着部２３を顔或いは他の部位に貼った後、残り半分の剥離紙１を取り去る、これにより手軽に貼ることができまた手もべた付かないという目的を持つ、(図８、図９及び図１０参照)、その内の薬剤層２２は、親水性ハイドロゲルとする。
【００１０】
上述したとおり、本考案は、脱落し難く、好ましい隠密効果を有し、絆創膏を簡単に剥離させる等の効果を有するものである。
【符号の説明】
【００１１】
１  剥離紙
３  剥離紙
１１  カット線
１１１  切り込み
１２１  切り込み
１２  キリトリ線
２      絆創膏
２１  粘着表層
２２  薬剤層
２３  粘着部
４  薬剤絆創膏
【図１】
0003170203.tif 000003
【図２】
0003170203.tif 000004
【図３】
0003170203.tif 000005
【図４】
0003170203.tif 000006
【図５】
0003170203.tif 000007
【図６】
0003170203.tif 000008
【図７】
0003170203.tif 000009
【図８】
0003170203.tif 000010
【図９】
0003170203.tif 000011
【図１０】
0003170203.tif 000012
【図１１】
0003170203.tif 000013
【図１２】
0003170203.tif 000014